(57)【特許請求の範囲】
【請求項１】
基礎体温を測定するための体温測定手段と、各生理周期の初日を入力するための生理開始日入力手段と、前記体温計測部で測定された基礎体温と前記生理開始日入力手段で入力された生理開始日等を記憶するための記憶手段と、カレンダー機能を有して前記記憶手段に記憶されたデータをもとに将来の生理開始日を予測するための生理開始日予測手段とを有し、前記生理開始日予測手段は、記憶手段に記憶している生理開始日の間隔を各生理周期に対応する生理周期日数として、生理周期日数の平均との差が所定日数以上ある生理周期と各生理周期内での高温期平均体温と低温期平均体温の差が所定値未満の生理周期を除外して残りの有効生理周期に対して有効生理周期日数平均を算出し、将来のｎ周期先の生理開始日を（最新生理開始日＋ｎ×有効生理周期日数平均）と予測する婦人体温計。
【請求項２】
前記生理開始日予測手段は、有効生理周期の数が対象とする全生理周期の数の所定割合以上ある時に将来の生理開始日を予測する請求項１記載の婦人体温計。
【請求項３】
前記生理開始日予測手段は、前記体温測定手段で測定された基礎体温によって低温期から高温期への移行を判断できた時点で、高温期の初日前日に前記記憶手段に記憶している各生理周期の基礎体温から算出される高温期平均日数を加えた日を次回の生理開始日と修正予測する請求項１または請求項２記載の婦人体温計。
【請求項４】
前記記憶手段に記憶している基礎体温と生理開始日から生理開始日とその前日との体温差の平均を算出する体温差算出手段を備え、前記生理開始日予測手段は、予測した次回生理開始日を越えても前記生理開始日入力手段で生理開始日入力がなかった場合は、前記体温測定手段で測定された基礎体温が前日の基礎体温と前記体温差算出手段で算出された体温差以上あった時にその日を次回の生理開始日と修正予測する請求項１から３のいずれか１項に記載した婦人体温計。
【請求項５】
報知手段を備え、前記報知手段は、前記生理開始日入力手段に生理開始日入力がある毎に、または前記生理開始日予測手段が修正予測をする毎に、将来の生理開始日を報知する請求項１から４のいずれか１項に記載した婦人体温計。
【請求項６】
記憶手段限定手段を備え、前記生理開始日予測手段が将来の生理開始日を予測するために用いるデータは、前記記憶手段限定手段によって現在の日から最新の１年以内の所定期間内のものだけに限定されたデータとする請求項１から５のいずれか１項に記載した婦人体温計。
【発明の詳細な説明】
【０００１】
【発明の属する技術分野】
本発明は、女性の生理状態を把握できる機能を備えた婦人体温計に関するものである。
【０００２】
【従来の技術】
従来、生理開始日入力手段に入力された生理開始日の間隔を各生理周期に対応する生理周期日数として、その生理周期日数の平均日数を最新生理開始日に加算した日を次回生理開始日と予測して報知する婦人体温計があった。また、低温期から高温期への移行が確認できた時点（高温期と判定される基礎体温が３日連続した時点）で、その日に１２日加算した日（高温期初日から数えて１４日に該当）を次回生理開始日と予測して報知する婦人体温計があった（特開昭６２−１８３８０７）。
【０００３】
【発明が解決しようとする課題】
女性にとっては、将来の生理開始日を事前に正しく知るということは事前の準備や今後の行動の予定をたてる上で重要である。
【０００４】
ところが、女性の生理状態は非常にデリケートであり、生理周期日数のかなり安定している人でもストレス等で容易に生理周期日数が乱れて通常の生理周期日数より短くなったり長くなったりすることが起こる。特に、現代は女性がストレスにさらされる機会が増えており、生理周期日数が乱れる場合が頻繁に起こりやすい。
【０００５】
このような周期日数の乱れに対して、単純に平均をとる前記第１の婦人体温計では、せっかく周期日数の安定している人でも、いくつかの乱れた周期日数によって平均周期日数が乱されて次回生理開始日の予測精度が落ちてしまっていた。
【０００６】
また、周期日数が乱れた場合は、低温期の日数が変動するだけで、高温期の日数はほぼ一定日数と言われているので、前記第２の婦人体温計では、前記第１の体温計程には乱れた周期日数の影響は受けないものの、高温期の日数を１４日と固定しているので個人差には対応できない。高温期日数１４日というのは標準ではあるが、現実には１４日を中心に１２〜１６日程度であり、生理機能の安定しない若年層や更年期あたりの女性ではもう少し長いまたは短い。この様な個人差には対応できないため、やはり予測精度が落ちるものである。
【０００７】
本発明はこのような従来の婦人体温計が有している課題を解決するもので、将来の生理開始日の予測精度を向上した婦人体温計を実現することを目的としている。
【０００８】
【課題を解決するための手段】
前記目的を達成するための本発明の第１の手段は、基礎体温を測定するための体温測定手段と、各生理周期の初日を入力するための生理開始日入力手段と、前記体温計測部で測定された基礎体温と前記生理開始日入力手段で入力された生理開始日等を記憶するための記憶手段と、カレンダー機能を有して前記記憶手段に記憶されたデータをもとに将来の生理開始日を予測するための生理開始日予測手段とを有し、前記生理開始日予測手段は、記憶手段に記憶している生理開始日の間隔を各生理周期に対応する生理周期日数として、生理周期日数の平均との差が所定日数以上ある生理周期と各生理周期内での高温期平均体温と低温期平均体温の差が所定値未満の生理周期を除外して残りの有効生理周期に対して有効生理周期日数平均を算出し、将来のｎ周期先の生理開始日を（最新生理開始日＋ｎ×有効生理周期日数平均）と予測するように構成し、異常な生理周期を除外して将来の生理開始日の予測精度を向上した婦人体温計としている。
【０００９】
また本発明の第２の手段は、前記生理開始日予測手段は、有効生理周期の数が対象とする全生理周期の数の所定割合以上ある時に将来の生理開始日を予測するるように構成し、さらに将来の生理開始日の予測精度を向上した婦人体温計としている。
【００１０】
本発明の第３の手段は、前記生理開始日予測手段は、前記体温測定手段で測定された基礎体温によって低温期から高温期への移行を判断できた時点で、高温期の初日前日に前記記憶手段に記憶している各生理周期の基礎体温から算出される高温期平均日数を加えた日を次回の生理開始日と修正予測するように構成し、現生理周期における低温期の変動影響を除外してかつ個人差に応じた将来の生理開始日の予測精度を向上した婦人体温計としている。
【００１１】
本発明の第４の手段は、前記記憶手段に記憶している基礎体温と生理開始日から生理開始日とその前日との体温差の平均を算出する体温差算出手段を備え、前記生理開始日予測手段は、予測した次回生理開始日を越えても前記生理開始日入力手段で生理開始日入力がなかった場合は、前記体温測定手段で測定された基礎体温が前日の基礎体温と前記体温差算出手段で算出された体温差以上あった時にその日を次回の生理開始日と修正予測するように構成し、予測した次回生理開始日を越えても前記生理開始日入力手段で生理開始日入力がなかった場合即ち周期日数の長い生理周期でも個人差に応じた将来の生理開始日の予測精度を向上した婦人体温計としている。
【００１２】
本発明の第５の手段は、報知手段を備え、前記報知手段は、前記生理開始日入力手段に生理開始日入力がある毎に、または前記生理開始日予測手段が修正予測をする毎に、将来の生理開始日を報知するように構成し、使用者が常に予測精度の良い将来の生理開始日を認識できる婦人体温計としている。
【００１３】
本発明の第６の手段は、記憶手段限定手段を備え、前記生理開始日予測手段が将来の生理開始日を予測するために用いるデータは、前記記憶手段限定手段によって現在の日から最新の１年以内の所定期間内のものだけに限定されたデータとするように構成し、最近の生理周期変動に対応して将来の生理開始日の予測精度を向上した婦人体温計としている。
【００１４】
【発明の実施の形態】
（実施の形態１）
以下本発明の第１の実施形態について説明する。図１は本実施形態の婦人体温計の構成を示すブロック図である。
【００１５】
婦人体温計の本体１（以下単に本体１と称する）は、体温測定手段２と、生理開始日入力手段３と、記憶手段４と、生理開始日予測手段５とを備えている。
体温測定手段２はサーミスタで構成し、生理開始日入力手段３は押しボタンスイッチで構成し、生理開始日予測手段５はマイクロコンピュータによって構成しており、生理開始日予測手段５はカレンダー機能を有している。
【００１６】
使用者は、毎朝１回起床時に布団に入ったままの状態で、体温測定手段２を舌下に入れて安静時の基礎体温を測定する。また、生理時にはその初日を生理開始日として生理開始日入力手段３で入力する。このように測定された基礎体温や入力された生理開始日は、日時がわかるように記憶手段４に記憶される。生理開始日予測手段５は、記憶手段４に記憶されたデータをもとに次回以降の将来の生理開始日を予測する。
【００１７】
以下本実施形態の生理開始日予測手段５の動作について図２のフローチャートにより説明する。
【００１８】
生理開始日予測手段５は、まず、記憶手段４に記憶した生理開始日の間隔から各生理周期について生理周期日数を算出する。例えば１番古い生理開始日が１９９８年１月１日で２番目に古い生理開始日が１９９８年１月２９日であれば、第１生理周期の周期日数は２８日になる。以下記憶手段４に記憶した全生理周期について生理周期日数を算出し（ステップ１）、生理周期日数平均を算出する（ステップ２）。次に、記憶手段４に記憶した全生理周期について、各々の生理周期日数と算出した生理周期日数平均との差を求めて差が４日以上の場合はその生理周期の生理周期日数は無効とし、差が３日以下の場合はさらにその生理周期の高温期体温平均と低温期体温平均の差をチェックする。即ち、差が０．３℃未満の場合はその生理周期の生理周期日数を無効とし、差が０．３℃以上の場合はその生理周期日数を有効として、有効生理周期を決定する（ステップ３〜ステップ６）。決定した有効生理周期について生理周期日数の平均を算出する（ステップ７）。最後に、（最新生理開始日＋ｎ×有効生理周期日数平均）を算出し、将来のｎ周期先の生理開始日を予測する（ステップ８）。
【００１９】
なお、本実施形態では、将来の生理開始日を予測するためのデータとして、記憶手段に記憶した全生理周期を用いたが、記憶手段に記憶した一部の生理周期を対象としても良い。また、生理周期日数との差の所定値を３日、高温期体温平均と低温期体温平均との差の所定値を０．３℃としたが、標準偏差等の値を用いても良い。さらに、本実施形態では生理開始日の入力があった時点で予測動作を行うようにしたが、次回生理開始日までの間ならいつ予測を行ってもかまわない。
【００２０】
以上のように本実施形態によれば、異常な生理周期を除外して将来の生理開始日の予測精度を向上した婦人体温計を提供することができる。
【００２１】
（実施の形態２）
続いて本発明の第２の実施形態について説明する。本実施形態の婦人体温計の構成を示すブロック図は第１の実施形態と同じ図１である。
【００２２】
以下本実施形態の生理開始日予測手段５の動作について図３のフローチャートにより説明する。第１の実施形態と同一機能を持つものは同一ステップ記号を用いている。生理開始日予測手段５が各生理周期が有効か無効か決定するまでは、第１の実施形態と同様である。有効生理周期が決定されると、有効生理周期数が対象の全生理周期数の２／３以上あるかどうかチェックする（ステップ９）。全生理周期数の２／３以上ある時のみ、次回以降の将来の生理開始日を予測し（ステップ１０〜ステップ１１）、２／３未満の時は予測を行わない。例えば、対象とする全生理周期数が１０で、その内で有効生理周期数が７以上ある時は予測を行うが、有効生理周期数が７未満の時は予測を行わない。
【００２３】
なお、本実施形態では、有効生理周期数が対象の全生理周期数の２／３以上の時のみ生理開始日予測手段が予測を行うようにしたが、割合は予測精度に合わせて任意の割合に設定してかまわない。
【００２４】
以上のように本実施形態によれば、さらに将来の生理開始日の予測精度を向上した婦人体温計を提供することができる。
【００２５】
（実施の形態３）
続いて本発明の第３の実施形態について説明する。本実施形態の婦人体温計の構成を示すブロック図は第１の実施形態と同じ図１である。
【００２６】
以下本実施形態の生理開始日予測手段５の動作について図４のフローチャートにより説明する。まず、生理開始日予測手段５は、生理開始日入力手段３に生理開始日が入力された時点で、第１の実施形態及び第２の実施形態同様、有効生理周期を決定し、生理開始日の予測を行う(ステップ１２）。この予測ができた場合についてのみ、生理開始日予測手段５は以下の動作を行う（ステップ１３）。即ち、まず有効生理周期について高温期平均日数を求める（ステップ１４）。次に、体温測定手段２で測定した基礎体温が低温期から高温期へ移行したかどうかチェックする（ステップ１５）。移行を確認できない場合はステップ１２で予測した生理開始日を修正しない。移行が確認できた場合は、次回生理開始日＝高温期の初日前日＋高温期平均日数とステップ１２で予測した生理開始日を修正し（ステップ１５）、合わせて将来のｎ周期先の生理開始日も次回生理開始日＋（ｎ−１）×有効周期日数平均と修正予測する（ステップ１６）。
【００２７】
なお、本実施形態では、高温期平均日数の算出を将来の生理開始日が予測できた時のみ行ったが、生理開始日入力手段で生理開始日が入力された時点で常に算出するようにしても良い。また、本実施形態では、高温期平均日数を算出する際には有効生理周期のみ対象としたが、高温期日数は周期日数の長さにかかわらずほぼ一定であるから、無効にした生理周期の内、周期日数の長さは平均より所定値以上であるが高温期平均体温と低温期平均体温の差は所定値以上あるもののみ高温期平均日数算出の対象としても良い。
【００２８】
以上のように本実施形態によれば、現生理周期における低温期の変動影響を除外してかつ個人差に応じた将来の生理開始日の予測精度を向上した婦人体温計を提供することができる。
【００２９】
（実施の形態４）
続いて本発明の第４の実施形態について説明する。図５は本実施形態の婦人体温計の構成を示すブロック図である。
【００３０】
６は、記憶手段４に記憶している基礎体温と生理開始日から生理開始日とその前日との体温差を算出する体温差算出手段である。第１の実施形態と同一機能を持つものは同一ステップ記号を用いている。生理開始日予測手段５と体温差算出手段６はマイクロコンピュータによって構成している。
【００３１】
以下本実施形態の生理開始日予測手段５及び体温差算出手段６の動作について図６のフローチャートにより説明する。まず、生理開始日予測手段５は、生理開始日入力手段３に生理開始日が入力された時点で、第３の実施形態同様、生理開始日を予測する又は、予測後修正する（ステップ１２〜ステップ１７）。但し、ステップ１３で生理開始日が予測できた場合は生理開始日予測手段５が高温期平均日数を算出すると同時に体温差算出手段６は有効周期について各々生理開始日前日基礎体温−生理開始日基礎体温を求めてその平均をとり平均体温差を算出し共に記憶手段４に記憶しておく（ステップ１８）。例えば−０．２℃等である。生理開始日予測手段５で予測した次回生理開始日を越えても生理が開始しない（生理開始日入力手段３に生理開始日入力がない）場合（ステップ１９）は、前日基礎体温−体温測定手段２で測定した基礎体温≧平均体温差の時にその日を次回生理開始日と修正予測する（ステップ２０〜ステップ２１）。合わせて将来のｎ周期先の生理開始日も次回生理開始日＋（ｎ−１）×有効周期日数平均と修正予測する（ステップ２２）。
【００３２】
なお、本実施形態では、体温差を求める対象を有効生理周期としたが、記憶手段に記憶した全生理周期を対象に行って統計的処理を施したものを用いてもかまわない。
【００３３】
以上のように本実施形態によれば、予測した次回生理開始日を越えても前記生理開始日入力手段で生理開始日入力がなかった場合即ち周期日数の長い生理周期でも個人差に応じて将来の生理開始日の予測精度を向上した婦人体温計を提供することができる。
【００３４】
（実施の形態５）
続いて本発明の第５の実施形態について説明する。図７は本実施形態の婦人体温計の構成を示すブロック図である。
【００３５】
７は、生理開始日予測手段５が予測した生理開始日を報知するための報知手段である。その他第４の実施形態と同一機能を持つものは同一ステップ記号を用いている。報知手段７は、ブザー音吹鳴部と液晶表示部で構成している。
【００３６】
以下、本実施形態の動作について図７及び図６のフローチャートにより説明する。生理開始日予測手段５が生理開始日の予測や修正予測を行う動作については第４の実施形態と同様である。生理開始日入力があると将来の生理開始日の予測が行われる。ステップ１８に進んだ時点で即ち、生理開始日の入力により将来の生理開始日が予測できた時点で、報知手段７で報知する。具体的にはブザー音吹鳴部で「ピピッ」と鳴らし、液晶表示部で次回以降の生理開始日を文字表示する。また、生理開始日入力手段３を用いて生理開始日の変更があった場合も、変更された生理開始日について新たに将来の生理開始日を予測し、報知する。さらに、低温期から高温期への以降が確認されて予測が修正された時（ステップ１７）及び予測した生理開始日を越えても生理開始日の入力がなく高温期中に前日の基礎体温と当日の基礎体温との差が体温差平均以上あって予測が修正された時(ステップ２２）には、やはり報知手段７で将来の生理開始日を報知する。
【００３７】
なお、本実施形態では、報知手段での報知をブザー音と液晶表示部での文字表示としたが、音声で報知しても良いし、表示しているカレンダーやグラフにマーク表示してもかまわない。また、生理開始日入力があった時、予測時、修正予測した時点以外に、使用者が好きな時に確認できるようにしても良いし、常時文字等で表示していてもかまわない。本実施形態では、このような使用者の確認時や常時表示だけでなく、新たに生理開始日を予測する時に使用者が気づくように意図的に報知するものである。
【００３８】
以上のように本実施形態によれば、使用者が常に予測精度の良い将来の生理開始日を認識できる婦人体温計を提供することができる。
【００３９】
（実施の形態６）
続いて本発明の第６の実施形態について説明する。図８は本実施形態の婦人体温計の構成を示すブロック図である。
【００４０】
８は、前記生理開始日予測手段が将来の生理開始日を予測するために用いるデータを現在の日から最新の１年以内の所定期間内のものだけに限定する記憶手段限定手段である。
【００４１】
以下、本実施形態の動作について図８により説明する。生理開始日入力手段３に生理開始日が入力されると、生理開始日予測手段５は、記憶手段４に記憶している生理開始日や基礎体温を用いて生理開始日の予測を行うが、その際記憶手段４に記憶されている生理開始日や基礎体温の内、記憶手段限定手段８によって現在の日から最新の１年以内の所定期間内のものだけに限定される。即ち、生理開始日予測手段５は、記憶手段限定手段８によって限定されたデータを用いて予測を行うものである。予測の動作は第１の実施形態と同様である。
【００４２】
なお、本実施形態では、記憶手段限定手段を記憶手段に記憶している内の一部に限定するものとしたが、記憶手段の容量を１年分しか記憶しないものとしても良い。
【００４３】
以上のように本実施形態によれば、女性の生理状態も成長あるいは加齢によって刻々と変化するものであるから、最近の生理周期変動に対応して将来の生理開始日の予測精度を向上した婦人体温計できる婦人体温計を提供することができる。
【００４４】
【発明の効果】
本発明の第１の手段は、基礎体温を測定するための体温測定手段と、各生理周期の初日を入力するための生理開始日入力手段と、前記体温計測部で測定された基礎体温と前記生理開始日入力手段で入力された生理開始日等を記憶するための記憶手段と、カレンダー機能を有して前記記憶手段に記憶されたデータをもとに将来の生理開始日を予測するための生理開始日予測手段とを有し、前記生理開始日予測手段は、記憶手段に記憶している生理開始日の間隔を各生理周期に対応する生理周期日数として、生理周期日数の平均との差が所定日数以上ある生理周期と各生理周期内での高温期平均体温と低温期平均体温の差が所定値未満の生理周期を除外して残りの有効生理周期に対して有効生理周期日数平均を算出し、将来のｎ周期先の生理開始日を（最新生理開始日＋ｎ×有効生理周期日数平均）と予測するように構成し、異常な生理周期を除外して将来の生理開始日の予測精度を向上した婦人体温計を実現できるものである。
【００４５】
本発明の第２の手段は、前記生理開始日予測手段は、有効生理周期の数が対象とする全生理周期の数の所定割合以上ある時に将来の生理開始日を予測するるように構成し、さらに将来の生理開始日の予測精度を向上した婦人体温計を実現できるものである。
【００４６】
本発明の第３の手段は、前記生理開始日予測手段は、前記体温測定手段で測定された基礎体温によって低温期から高温期への移行を判断できた時点で、高温期の初日前日に前記記憶手段に記憶している各生理周期の基礎体温から算出される高温期平均日数を加えた日を次回の生理開始日と修正予測するように構成し、現生理周期における低温期の変動影響を除外してかつ個人差に応じた将来の生理開始日の予測精度を向上した婦人体温計を実現できるものである。
【００４７】
本発明の第４の手段は、前記記憶手段に記憶している基礎体温と生理開始日から生理開始日とその前日との体温差の平均を算出する体温差算出手段を備え、前記生理開始日予測手段は、予測した次回生理開始日を越えても前記生理開始日入力手段で生理開始日入力がなかった場合は、前記体温測定手段で測定された基礎体温が前日の基礎体温と前記体温差算出手段で算出された体温差以上あった時にその日を次回の生理開始日と修正予測するように構成し、予測した次回生理開始日を越えても前記生理開始日入力手段で生理開始日入力がなかった場合即ち周期日数の長い生理周期でも個人差に応じた将来の生理開始日の予測精度を向上した婦人体温計を実現できるものである。
【００４８】
本発明の第５の手段は、報知手段を備え、前記報知手段は、前記生理開始日入力手段に生理開始日入力がある毎に、または前記生理開始日予測手段が修正予測をする毎に、将来の生理開始日を報知するように構成し、使用者が常に予測精度の良い将来の生理開始日を認識できる婦人体温計を実現できるものである。
【００４９】
本発明の第６の手段は、記憶手段限定手段を備え、前記生理開始日予測手段が将来の生理開始日を予測するために用いるデータは、前記記憶手段限定手段によって現在の日から最新の１年以内の所定期間内のものだけに限定されたデータとするように構成し、最近の生理周期変動に対応して将来の生理開始日の予測精度を向上した婦人体温計を実現できるものである。
【図面の簡単な説明】
【図１】本発明の第１の実施形態である婦人体温計の構成を示すブロック図
【図２】同、動作フローを示すフローチャート
【図３】本発明の第２の実施形態の動作フローを示すフローチャート
【図４】本発明の第３の実施形態の動作フローを示すフローチャート
【図５】本発明の第４の実施形態である婦人体温計の構成を示すブロック図
【図６】同、動作フローを示すフローチャート
【図７】本発明の第５の実施形態である婦人体温計の構成を示すブロック図
【図８】本発明の第６の実施形態である婦人体温計の構成を示すブロック図
【符号の説明】
１    本体
２    体温測定手段
３    生理開始日入力手段
４    記憶手段
５    生理開始日予測手段
６    体温差算出手段
７    報知手段
８    記憶手段限定手段
【図１】
0004240632.tif 000002
【図２】
0004240632.tif 000003
【図３】
0004240632.tif 000004
【図４】
0004240632.tif 000005
【図５】
0004240632.tif 000006
【図６】
0004240632.tif 000007
【図７】
0004240632.tif 000008
【図８】
0004240632.tif 000009